(57)【要約】【課題】例えば、一方の装置から他方の装置へ複数のキャリアの信号を送信する通信システムで、各キャリア毎に最適な符号化率を使用する。【解決手段】一方の装置は、他方の装置から信号を受信し、受信した信号に基づいて各キャリア毎に伝搬路の状況を検出し、検出した伝搬路の状況に基づいて各キャリア毎に送信に使用する符号化率を決定し、決定した符号化率を使用して各キャリア毎に送信対象となるデータを符号化し、符号化したデータを含む信号及び使用した符号化率を特定する情報を含む信号を他方の装置へ送信する。他方の装置は、一方の装置へ信号を送信し、一方の装置から信号を受信し、受信した信号に含まれる符号化率を特定する情報により特定される各キャリア毎の符号化率を検出し、検出した符号化率を使用して各キャリア毎に受信した信号に含まれる符号化されたデータを復号する。【選択図】  図１
2007181180.tif 000002
【特許請求の範囲】
【請求項１】
一方の装置から他方の装置へキャリアの信号を送信する通信システムにおいて、
前記一方の装置は、前記他方の装置から信号を受信する第１の受信手段と、
前記第１の受信手段により受信された信号に基づいてキャリアの伝搬路の状況を検出する状況検出手段と、
前記状況検出手段により検出された伝搬路の状況に基づいてキャリアの送信に使用する符号化率を決定する決定手段と、
前記決定手段により決定された符号化率を使用してキャリアの送信対象となるデータを符号化する符号化手段と、
前記符号化手段により符号化されたデータを含む信号及び前記使用された符号化率を特定する情報を含む信号を前記他方の装置へ送信する第１の送信手段と、を備え、
前記他方の装置は、前記一方の装置へ信号を送信する第２の送信手段と、
前記一方の装置から信号を受信する第２の受信手段と、
前記第２の受信手段により受信された信号に含まれる前記符号化率を特定する情報により特定されるキャリアの符号化率を検出する符号化率検出手段と、
前記符号化率検出手段により検出された符号化率を使用して前記第２の受信手段により受信された信号に含まれる前記符号化されたデータを復号する復号手段と、を備えた、
ことを特徴とする通信システム。
【発明の詳細な説明】
【技術分野】
【０００１】
本発明は、通信システムに関し、特に、伝搬路の状況に応じて最適な誤り訂正符号化率を使用する通信システムに関する。
一例として、本発明は、マルチキャリア通信を行う通信システムに関し、特に、伝搬路の状況に応じて各サブキャリア毎に最適な誤り訂正符号化率を使用する通信システムに関する。
他の一例として、本発明は、シングルキャリア通信を行う通信システムに関し、特に、伝搬路の状況に応じて最適な誤り訂正符号化率を使用する通信システムに関する。
【背景技術】
【０００２】
通信システムの一例として、マルチキャリア通信システムについて説明する。
例えば、マルチキャリア通信システムでは、システムに与えられた周波数帯域を帯域の狭い複数の周波数帯域（サブチャネル）に分割し、各周波数帯域（各サブチャネル）に割り当てられた複数のキャリア（サブキャリア）にデジタル情報からなる伝送データを割り当てて通信が行われる。このようなシステムでは、伝送データを複数のサブキャリアに分散してデータ伝送が行われるため、マルチパスによる周波数選択性フェージングで伝送データを失う確率を低減することが可能である。
一例として、移動通信システムにおいて、基地局装置と移動局装置との間で、直交周波数分割多重（ＯＦＤＭ：Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）変調方式を使用して、無線により、マルチキャリア通信が行われる（例えば、特許文献１参照。）。
【０００３】
また、属波数選択性フェージングによって発生する伝送データ誤りを軽減する技術として、誤り検出・訂正技術が有効である。
誤り検出・訂正技術では、送信側で伝送データに誤り検出・訂正可能な冗長データを付加し、受信側で当該冗長データを利用して伝送データ部の誤りを検出して訂正する。一般に、伝送データの符号化の効率は、誤り訂正符号化率をＲとし、符号化後の総伝送データの量をｎとし、元伝送データの量をｋとすると、（式１）により表されることが知られている。（式１）に示されるように、同じ誤り訂正能力である場合には、符号化率が大きい符号の方が効率のよい符号である。
（数１）
Ｒ＝ｋ／ｎ
・・（式１）
【０００４】
上記のようなマルチキャリア通信システムでは、各サブキャリアの伝送データに対する符号化率として、同一の符号化率が使用されていた。
しかしながら、この場合、例えば、フェージングの影響により伝搬路状況が悪化してデータ誤りの多いサブキャリアにおいては誤り訂正機能によりデータ誤りを軽減することができるが、伝搬路状況が良いサブキャリアでは誤り訂正符号の付加により伝送効率が低下してしまうといった問題があった。
【０００５】
ここで、図４には、６４ＱＡＭ（Ｑｕａｄｒａｔｕｒｅ  Ａｍｐｌｉｔｕｄｅ  Ｍｏｄｕｌａｔｉｏｎ）により通信を行うマルチキャリア通信システムの周波数帯域の一例を示してある。横軸は複数であるｎ個のサブキャリアの周波数ｆ１、ｆ２、・・・、ｆｎを示しており、縦軸は伝搬路状況を示している。
この例では、全てのサブキャリアについて、符号化率Ｒ＝３／４に固定されている。
【０００６】
しかしながら、この場合、例えば、或るサブキャリアの伝搬路状況が良く、設定された符号化率Ｒより大きい符号化率で符号化して若しくは誤り訂正符号を付加することなく、より多くのデータを伝送することができる条件下にあっても、設定された符号化率Ｒによって、当該サブキャリアで伝送することができるデータ量が固定されてしまう。また、逆に、或るサブキャリアの伝搬路状況が悪いときには、設定された符号化率Ｒでは、誤りが多く、誤りを訂正することが困難になってしまい、伝送効率が低下してしまう。このように、符号化率Ｒが固定されているため、所望の伝送効率及び通信品質が得られないという問題があった。
【０００７】
通信システムの他の一例として、シングルキャリア通信システムについて説明する。
例えば、シングルキャリア通信システムでは、システムに与えられた周波数帯域（チャネル）を使用して、単一のキャリア（シングルキャリア）に伝送データを割り当てて通信が行われ、伝搬路が安定した状況下においては伝送効率が良く通信品質が高いデータ伝送が可能である。一方、マルチパスに起因する周波数選択性フェージングによる伝送データ誤りによる通信品質の劣化が顕著である。このような伝送データ誤りを軽減する技術として、上述のような誤り検出・訂正技術が有効である。
【０００８】
上記のようなシングルキャリア通信システムでは、シングルキャリアの伝送データに対する符号化率が同一であったため、伝搬路状況に応じて最適な符号化率が設定されず、例えば、フェージングの影響により伝搬路状況が悪化してデータ誤りが多い場合には誤り訂正機能によりデータ誤りを軽減することができるが、伝搬路状況が良い場合には誤り訂正符号の付加により伝送効率が低下してしまうといった問題があった。
【０００９】
ここで、図７には、６４ＱＡＭにより通信を行うシングルキャリア通信システムの周波数帯域の一例を示してある。横軸はシングルキャリアの周波数を示しており、縦軸は伝搬路状況を示している。
この例では、固定的に設定された符号化率ＲはＲ＝３／４であり、例えば、誤り訂正符号を付加することなくより多くのデータを伝送することができる条件下にあっても、伝送することができるデータ量が固定されてしまう。また、逆に、伝搬路状況が悪い場合には、固定的に設定された符号化率では、誤りを訂正することが困難になってしまい、伝送効率が低下してしまう。このように、符号化率Ｒが固定されているため、所望の伝送効率及び通信品質が得られないという問題があった。
【００１０】
ここで、シングルキャリア通信システムとマルチキャリア通信システムを比較すると、マルチパス環境においてはマルチキャリア通信システムの方が伝送効率が高いが、通信環境が安定した状況下ではシングルキャリア通信システムの方が伝送効率に優れ、総合的な通信環境下ではシングルキャリア通信システムの方が通信品質の確保が可能である。またシングルキャリア通信システムでは、マルチキャリア通信システムのように複数のキャリアにデータを割り当てて伝送するための複雑なハードウエア構成が不要であり、より簡素なハードウエア構成で実現することができる。
【００１１】
【特許文献１】特開２００３−２６４５２２号公報
【発明の開示】
【発明が解決しようとする課題】
【００１２】
上述のように、マルチキャリア通信システムでは、各サブキャリアの伝搬路状況にかかわらず符号化率が一定であったため、伝搬路状況に応じて、伝送効率及び通信品質が十分に確保されないといった問題があった。
また、上述のように、シングルキャリア通信システムでは、伝搬路状況にかかわらず符号化率が一定であったため、伝搬路状況が良く、設定された符号化率で符号化された伝送データよりもより多くのデータを伝送することができる条件下にあっても、伝送することができるデータ量が固定されてしまうといった問題があった。また、伝搬路状況が悪い場合には、設定された符号化率では誤りが多く、伝送効率が低下してしまうといった問題があった。
このように、通信システムでは、伝搬路状況に応じて伝送効率や通信品質を十分に確保することが要求されていた。
【００１３】
本発明は、このような従来の課題を解決するために為されたもので、伝搬路の状況に応じて、最適な誤り訂正符号化率を使用することができる通信システムを提供することを目的とする。
一例として、本発明は、このような従来の課題を解決するために為されたもので、マルチキャリア通信を行うに際して、伝搬路の状況に応じて、各サブキャリア毎に最適な誤り訂正符号化率を使用することができる通信システムを提供することを目的とする。
他の一例として、本発明は、このような従来の課題を解決するために為されたもので、シングルキャリア通信を行うに際して、伝搬路の状況に応じて、最適な誤り訂正符号化率を使用することができる通信システムを提供することを目的とする。
【課題を解決するための手段】
【００１４】
上記目的を達成するため、本発明に係る通信システムでは、次のような構成により、一方の装置から他方の装置へキャリアの信号を送信する。
すなわち、前記一方の装置では、第１の受信手段が、前記他方の装置から信号を受信する。状況検出手段が、前記第１の受信手段により受信された信号に基づいて、キャリアの伝搬路の状況を検出する。決定手段が、前記状況検出手段により検出された伝搬路の状況に基づいて、キャリアの送信に使用する符号化率を決定する。符号化手段が、前記決定手段により決定された符号化率を使用して、キャリアの送信対象となるデータを符号化する。第１の送信手段が、前記符号化手段により符号化されたデータを含む信号及び前記使用された符号化率を特定する情報を含む信号を前記他方の装置へ送信する。
また、前記他方の装置では、第２の送信手段が、前記一方の装置へ信号を送信する。第２の受信手段が、前記一方の装置から信号を受信する。符号化率検出手段が、前記第２の受信手段により受信された信号に含まれる前記符号化率を特定する情報により特定されるキャリアの符号化率を検出する。復号手段が、前記符号化率検出手段により検出された符号化率を使用して、前記第２の受信手段により受信された信号に含まれる前記符号化されたデータを復号する。
【００１５】
従って、一方の装置では、他方の装置から受信した信号から検出された伝搬路の状況に基づいて送信時の符号化率を決定して使用するとともに、当該符号化率を他方の装置へ通知し、他方の装置では、一方の装置から通知された符号化率を使用して、一方の装置から受信した信号を復号するようにしたため、例えば、伝搬路の状況に応じて、最適な誤り訂正符号化率を使用することができる。
【００１６】
マルチキャリア通信システムの構成例を示す。
一方の装置から他方の装置へ複数のキャリアの信号を送信する通信システムにおいて、
前記一方の装置は、前記他方の装置から信号を受信する第１の受信手段と、
前記第１の受信手段により受信された信号に基づいて各キャリア毎に伝搬路の状況を検出する状況検出手段と、
前記状況検出手段により検出された伝搬路の状況に基づいて各キャリア毎に送信に使用する符号化率を決定する決定手段と、
前記決定手段により決定された符号化率を使用して各キャリア毎に送信対象となるデータを符号化する符号化手段と、
前記符号化手段により符号化されたデータを含む信号及び前記使用された符号化率を特定する情報を含む信号を前記他方の装置へ送信する第１の送信手段と、を備え、
前記他方の装置は、前記一方の装置へ信号を送信する第２の送信手段と、
前記一方の装置から信号を受信する第２の受信手段と、
前記第２の受信手段により受信された信号に含まれる前記符号化率を特定する情報により特定される各キャリア毎の符号化率を検出する符号化率検出手段と、
前記符号化率検出手段により検出された符号化率を使用して各キャリア毎に前記第２の受信手段により受信された信号に含まれる前記符号化されたデータを復号する復号手段と、を備えた、
ことを特徴とする通信システム。
【００１７】
上記目的を達成するため、本発明に係る通信システムでは、次のような構成により、一方の装置から他方の装置へ複数のキャリアの信号を送信する。
すなわち、前記一方の装置では、第１の受信手段が、前記他方の装置から信号を受信する。状況検出手段が、前記第１の受信手段により受信された信号に基づいて、各キャリア毎に、伝搬路の状況を検出する。決定手段が、前記状況検出手段により検出された伝搬路の状況に基づいて、各キャリア毎に、送信に使用する符号化率を決定する。符号化手段が、前記決定手段により決定された符号化率を使用して、各キャリア毎に、送信対象となるデータを符号化する。第１の送信手段が、前記符号化手段により符号化されたデータを含む信号及び前記使用された符号化率を特定する情報を含む信号を前記他方の装置へ送信する。
また、前記他方の装置では、第２の送信手段が、前記一方の装置へ信号を送信する。第２の受信手段が、前記一方の装置から信号を受信する。符号化率検出手段が、前記第２の受信手段により受信された信号に含まれる前記符号化率を特定する情報により特定される各キャリア毎の符号化率を検出する。復号手段が、前記符号化率検出手段により検出された符号化率を使用して、各キャリア毎に、前記第２の受信手段により受信された信号に含まれる前記符号化されたデータを復号する。
【００１８】
従って、一方の装置では、他方の装置から受信した信号から検出された伝搬路の状況に基づいて各キャリア毎に送信時の符号化率を決定して使用するとともに、当該符号化率を他方の装置へ通知し、他方の装置では、一方の装置から通知された符号化率を使用して、各キャリア毎に、一方の装置から受信した信号を復号するようにしたため、例えば、複数のキャリアを使用した通信を行うに際して、伝搬路の状況に応じて、各キャリア毎に最適な符号化率を使用することができる。
【００１９】
ここで、一方の装置や、他方の装置としては、それぞれ、種々な装置が用いられてもよく、例えば、それぞれ、送信機能及び受信機能を有する通信装置が用いられる。
また、複数のキャリアの信号は、例えば、多重化されてまとめて通信されてもよく、或いは、別個に通信されてもよい。
また、伝搬路の状況を検出する際に参照される受信信号としては、種々な信号が用いられてもよく、例えば、データ通信に使用される信号に含まれるプリアンブルなどの所定パターンの信号を用いることができる。
また、伝搬路の状況としては、種々なものが検出されてもよく、例えば、一方の装置から他方の装置への通信に使用される伝搬路の状況の良し悪しの程度を判定することができてそれにより適切な符号化率を決定することができるような値を検出する。
【００２０】
なお、一方の装置から他方の装置への通信に使用される伝搬路の状況と、他方の装置から一方の装置への通信に使用される伝搬路の状況とは、例えば、使用される周波数（キャリア）が同一であるような場合には、互いに同一（或いは、近似したもの）となる。このため、例えば、他方の装置が一方の装置へ各キャリアの信号を複数のキャリアについてまとめて又は別個に送信し、一方の装置が各キャリア毎の受信信号に基づいて各キャリア毎の伝搬路の状況を検出して各キャリア毎に使用する符号化率を決定し、一方の装置が各キャリア毎の符号化率を使用して符号化したデータや符号化率を特定する情報を複数のキャリアについてまとめて又は別個に他方の装置へ送信する。
【００２１】
また、伝搬路の状況に基づいて符号化率を決定する態様としては、種々な態様が用いられてもよく、例えば、伝搬路の状況を表す値に関する１つ以上の閾値及び閾値との大小関係に応じて使用する符号化率が設定されていて当該閾値との大小関係に応じて符号化率を決定する態様や、伝搬路の状況を表す値と使用する符号化率との対応が予めテーブルなどに記憶されていて当該テーブルなどを参照して符号化率を決定する態様や、伝搬路を表す値に基づいて任意の符号化率を決定する態様などを用いることができる。
また、通信するデータとしては、種々なデータが用いられてもよい。
また、符号化としては、種々なものが用いられてもよく、例えば、誤り訂正符号化が用いられる。
また、信号の復号は、当該信号の符号化に使用された方式に対応した方式で行われる。
【００２２】
また、符号化率を特定する情報としては、種々な情報が用いられてもよく、例えば、符号化率の値を示す情報が用いられてもよく、或いは、符号化率の値を示す情報ではない他の情報が用いられて、一方の装置と他方の装置とに、予め、符号化率を特定する情報（当該他の情報）の内容と使用する符号化率との対応がテーブルなどに設定されているような態様が用いられてもよい。
また、符号化されたデータを含む信号及び使用された符号化率を特定する情報を含む信号を送信する態様としては、例えば、符号化されたデータ及び使用された符号化率を特定する情報の両方を含むフレームの信号を送信するなどにより、これらをまとめて送信するような態様が用いられてもよく、或いは、符号化されたデータを含む信号と、使用された符号化率を特定する情報を含む信号とを独立に送信するような態様が用いられてもよい。
【００２３】
シングルキャリア通信システムの構成例を示す。
一方の装置から他方の装置へシングルキャリアの信号を送信する通信システムにおいて、
前記一方の装置は、前記他方の装置から信号を受信する第１の受信手段と、
前記第１の受信手段により受信された信号に基づいてキャリアの伝搬路の状況を検出する状況検出手段と、
前記状況検出手段により検出された伝搬路の状況に基づいてキャリアの送信に使用する符号化率を決定する決定手段と、
前記決定手段により決定された符号化率を使用してキャリアの送信対象となるデータを符号化する符号化手段と、
前記符号化手段により符号化されたデータを含む信号及び前記使用された符号化率を特定する情報を含む信号を前記他方の装置へ送信する第１の送信手段と、を備え、
前記他方の装置は、前記一方の装置へ信号を送信する第２の送信手段と、
前記一方の装置から信号を受信する第２の受信手段と、
前記第２の受信手段により受信された信号に含まれる前記符号化率を特定する情報により特定されるキャリアの符号化率を検出する符号化率検出手段と、
前記符号化率検出手段により検出された符号化率を使用して前記第２の受信手段により受信された信号に含まれる前記符号化されたデータを復号する復号手段と、を備えた、
ことを特徴とする通信システム。
【００２４】
上記目的を達成するため、本発明に係る通信システムでは、次のような構成により、一方の装置から他方の装置へシングルキャリアの信号を送信する。
すなわち、前記一方の装置では、第１の受信手段が、前記他方の装置から信号を受信する。状況検出手段が、前記第１の受信手段により受信された信号に基づいて、キャリアの伝搬路の状況を検出する。決定手段が、前記状況検出手段により検出された伝搬路の状況に基づいて、キャリアの送信に使用する符号化率を決定する。符号化手段が、前記決定手段により決定された符号化率を使用して、キャリアの送信対象となるデータを符号化する。第１の送信手段が、前記符号化手段により符号化されたデータを含む信号及び前記使用された符号化率を特定する情報を含む信号を前記他方の装置へ送信する。
また、前記他方の装置では、第２の送信手段が、前記一方の装置へ信号を送信する。第２の受信手段が、前記一方の装置から信号を受信する。符号化率検出手段が、前記第２の受信手段により受信された信号に含まれる前記符号化率を特定する情報により特定されるキャリアの符号化率を検出する。復号手段が、前記符号化率検出手段により検出された符号化率を使用して、前記第２の受信手段により受信された信号に含まれる前記符号化されたデータを復号する。
【００２５】
従って、一方の装置では、他方の装置から受信した信号から検出された伝搬路の状況に基づいて送信時の符号化率を決定して使用するとともに、当該符号化率を他方の装置へ通知し、他方の装置では、一方の装置から通知された符号化率を使用して、一方の装置から受信した信号を復号するようにしたため、例えば、単一のキャリア（シングルキャリア）を使用した通信を行うに際して、キャリアの伝搬路の状況に応じて、キャリアに最適な符号化率を使用することができる。
【発明の効果】
【００２６】
以上説明したように、本発明に係る通信システムによると、伝搬路の状況に応じて、最適な符号化率を使用することができる。
一例として、マルチキャリア通信に適用した本発明に係る通信システムによると、一方の装置と他方の装置との間で複数のキャリアの信号を通信するに際して、一方の装置では、他方の装置から受信した信号に基づいて各キャリア毎に伝搬路の状況を検出し、当該検出した伝搬路の状況に基づいて各キャリア毎に送信に使用する符号化率を決定し、当該決定した符号化率を使用して各キャリア毎に送信対象となるデータを符号化し、当該符号化したデータ及び使用した符号化率を特定する情報を他方の装置へ送信し、他方の装置では、一方の装置から受信した情報に基づいて各キャリア毎の符号化率を検出し、当該検出した符号化率を使用して受信した各キャリア毎の符号化データを復号するようにしたため、例えば、複数のキャリアを使用した通信を行うに際して、各キャリア毎の伝搬路の状況に応じて、各キャリア毎に最適な符号化率を使用することができる。
【００２７】
他の一例として、シングルキャリア通信に適用した本発明に係る通信システムによると、一方の装置と他方の装置との間でキャリアの信号を通信するに際して、一方の装置では、他方の装置から受信した信号に基づいてキャリアの伝搬路の状況を検出し、当該検出した伝搬路の状況に基づいてキャリアの送信に使用する符号化率を決定し、当該決定した符号化率を使用してキャリアの送信対象となるデータを符号化し、当該符号化したデータ及び使用した符号化率を特定する情報を他方の装置へ送信し、他方の装置では、一方の装置から受信した情報に基づいてキャリアの符号化率を検出し、当該検出した符号化率を使用して受信したキャリアの符号化データを復号するようにしたため、例えば、単一のキャリアを使用した通信を行うに際して、キャリアの伝搬路の状況に応じて、キャリアに最適な符号化率を使用することができる。
【発明を実施するための最良の形態】
【００２８】
本発明に係る実施例を図面を参照して説明する。
【実施例１】
【００２９】
本発明の第１実施例を説明する。
図１には、本発明の一実施例に係るマルチキャリア通信システムの送受信装置の構成例を示してある。本例では、複数であるｎ個のサブキャリア（ｎ個のサブチャネル）を使用してマルチキャリア通信を行う。
本例の送受信装置は、ｎ個のサブキャリアのそれぞれに対応したｎ個の変調処理部Ａ１〜Ａｎと、データ分割部１と、信号合成部２と、ＲＦ（Ｒａｄｉｏ  Ｆｒｅｑｕｅｎｃｙ）部３と、アンテナ４と、信号分割部５と、データ合成部６と、チャネル制御部７を備えている。
各変調処理部Ａ１〜Ａｎは、同様な構成を有しており、具体的には、適応符号化部１１と、フレーム生成部１２と、直交変調部１３と、直交検波部１４と、同期処理部１５と、歪補償・推定部１６と、適応復号部１７と、伝搬路推定部１８と、符号化率指示部１９を備えている。
【００３０】
図２には、本例の送受信装置により通信される各サブキャリアの伝送フレームの構成例を示してある。
本例の伝送フレームは、プリアンブルと、相手局符号化率情報と、伝送シンボルと、冗長シンボルから構成されている。
プリアンブルとしては、例えば、送信側の装置と受信側の装置とで予め同一のシンボルが設定されており、同期を取るためや、伝搬路で生じた歪を補償するために使用される。
相手局符号化率情報としては、通信の相手局となる装置に対して符号化率を通知するための情報が用いられる。
伝送シンボルとしては、伝送対象となる伝送データのシンボルが用いられる。
冗長シンボルとしては、伝送シンボルに対する誤り検出や誤り訂正を行うためのシンボルが用いられる。
なお、伝送シンボルと冗長シンボルとは、必ずしも領域が区別されてなくともよく、例えば、これらのシンボルが混合していてもよい。
【００３１】
本例の送受信装置により行われる動作の一例を示す。
本例では、６４ＱＡＭの変調方式を使用する。
また、本例では、誤り訂正符号化率Ｒとして、Ｒ＝１／２、Ｒ＝３／４、Ｒ＝７／８、Ｒ＝１のいずれかを使用するように切り替えることが可能である。なお、本例では、予め用意された複数の異なる符号化率の中から最適な符号化率Ｒを選択的に決定する構成を示すが、他の構成例として、符号化率Ｒとして任意の値を決定するような構成が用いられてもよい。
【００３２】
まず、送信側の動作について説明する。
変調処理部Ａ１〜Ａｎはサブキャリア数だけ存在する。
データ分割部１は、送信対象となる伝送データ（送信データ）について、各サブキャリアで使用する符号化率の符号化を行うために必要なデータ量を適宜分割して、各分割データを各サブキャリアに対応した変調処理部Ａ１〜Ａｎの適応符号化部１１へ出力する。
ここで、各サブキャリアで使用する符号化率は、一つ前の受信タイミングの受信信号から伝搬路推定部１８により推定された各サブキャリアの伝搬路状況に基づいてチャネル制御部７により決定される。そして、各サブキャリアで使用する符号化率を特定する情報が、チャネル制御部７からデータ分割部１へ通知される。
【００３３】
各変調処理部Ａ１〜Ａｎにより行われる動作は同様であり、まとめて説明する。
適応符号化部１１とフレーム生成部１２に、チャネル制御部７により決定された各サブキャリアで使用する符号化率を指示する信号（相手局符号化率指示信号）が、符号化率指示部１９から入力される。
適応符号化部１１は、データ分割部１から入力されたデータを符号化率指示部１９から指示された符号化率で符号化（誤り訂正符号化）することで、チャネル制御部７で決定された符号化率に応じた送信データの符号化処理を行い、符号化後のデータをフレーム生成部１２へ出力する。
【００３４】
フレーム生成部１２は、適応符号化部１１から入力されたデータ（符号化されたビットストリーム）について６４ＱＡＭのシンボル化を行い、このシンボル（伝送シンボル及び冗長シンボル）に対してプリアンブル及び相手局符号化率情報を付加して伝送フレーム（送信フレーム）を生成して直交変調部１３へ出力する。
ここで、相手局符号化率情報としては、符号化率指示部１９により指示された符号化率を特定する情報が用いられる。また、本例では、相手局符号化率情報を、相手局が受信した際に参照するための変調方式情報のシンボルとして用いているが、このような変調方式情報には変調方式に関する他の情報が含まれてもよい。
【００３５】
直交変調部１３は、フレーム生成部１２から入力された伝送フレームを各サブキャリアの周波数で直交変調し、当該直交変調の結果を信号合成部２へ出力する。
信号合成部２は、各変調処理部Ａ１〜Ａｎの直交変調部１３から入力された信号（直交変調出力）を合成し、当該合成の結果をＲＦ部３へ出力する。
ＲＦ部３は、信号合成部２から入力された合成信号を低周波の信号からより高周波のＲＦ信号へ変換してアンテナ４へ出力する。
アンテナ４は、ＲＦ部３から入力された信号を無線により無線伝送路（無線伝搬路）へ送出する。この無線信号は、無線伝搬路を介して、通信相手となる装置により無線受信される。
【００３６】
次に、受信側の動作について説明する。
通信相手となる装置から無線により送信された信号が、無線伝搬路を介して、アンテナ４により受信される。この受信信号も、ｎ個のサブキャリアの信号が合成された信号である。
アンテナ４は、無線受信した信号をＲＦ部３へ出力する。
ＲＦ部３は、アンテナ４から入力された信号を高周波のＲＦ信号からより低周波の信号へ変換して信号分割部５へ出力する。
信号分割部５は、ＲＦ部３から入力された信号を各サブキャリアの周波数成分の信号に分割して、各分割信号を各サブキャリアに対応する変調処理部Ａ１〜Ａｎの直交検波部１４及び伝搬路推定部１８へ出力する。
【００３７】
各変調処理部Ａ１〜Ａｎにより行われる動作は同様であり、まとめて説明する。
直交検波部１４は、信号分割部５から入力された信号について、直交検波することにより、サブキャリアの周波数成分を除去して、ベースバンドのＩ信号（同相信号）及びＱ信号（直交信号）へ変換して同期処理部１５へ出力する。
同期処理部１５は、直交検波部１４から入力されたＩ信号及びＱ信号からなる伝送フレームに含まれるプリアンブルに基づいて同期を取り、同期を取った受信フレームを生成して歪補償・推定部１６へ出力する。
【００３８】
歪補償・推定部１６は、予め既知となっているプリアンブルのパターンをメモリなどに記憶しており、同期処理部１５から入力された受信フレームに含まれるプリアンブル（受信プリアンブル）と既知のプリアンブルのパターンに基づいて、受信信号が伝搬路で受けた伝搬路歪を検出して当該検出結果を表す伝搬路推定信号を伝搬路推定部１８へ出力するとともに、当該検出結果に基づいて受信フレームに含まれる伝送シンボル及び冗長シンボルについて伝搬路歪を補償して適応復号部１７へ出力する。
ここで、伝搬路の歪は、例えば、受信プリアンブルと既知のプリアンブルのパターンとの一致度或いは相違度から判定することができ、通常、一致度が高いほど伝搬路の歪が小さいと言え、相違度が高いほど伝搬路の歪が大きいと言える。
【００３９】
適応復号部１７に、チャネル制御部７により決定された各サブキャリアで使用する符号化率を指示する信号（自局符号化率指示信号）が、符号化率指示部１９から入力される。
適応復号部１７は、歪補償・推定部１６から入力されたシンボル（伝送シンボル及び冗長シンボル）のデータ（符号化されたビットストリーム）を、符号化率指示部１９から指示された符号化率で復号（誤り訂正復号）することで、チャネル制御部７で決定された符号化率に応じた受信データの復号処理を行い、復号後のデータをデータ合成部６へ出力する。
なお、本例では、歪補償・推定部１６或いは適応復号部１７において、６４ＱＡＭに対応して、受信されたシンボルがデータ（符号化されたビットストリーム）へ戻される。
データ合成部６は、各変調処理部Ａ１〜Ａｎの適応復号部１７から入力された復号後のデータ（各サブチャネル単位の復調データ）を合成して全体の復調データを出力する。
【００４０】
伝搬路推定部１８は、信号分割部５から受信信号を入力するとともに、歪補償・推定部１６から伝搬路推定信号を入力し、これらの受信信号と伝搬路推定信号に基づいて、各変調処理部Ａ１〜Ａｎ毎に利用しているサブチャネルの伝搬路の状況を推定し、当該推定結果を表す伝搬路情報をチャネル制御部７へ出力する。また、伝搬路推定部１８は、受信信号をチャネル制御部７へ出力する。
ここで、伝搬路の状況を推定する方法としては、例えば、伝搬路の状況の良し悪しの程度を推定することができる種々な方法が用いられてもよく、具体的には、受信レベルを検出する方法や、波形等化器の出力結果であるマルチパス歪の程度或いはベースバンドアイパターンの開口度を調べる方法や、送受既知のパターンデータを用いて相関演算により受信Ｓ／Ｎ情報や遅延スプレッド情報などを検出することにより伝搬路歪を推定する方法などを用いることができる。本例では、伝搬路状況の推定結果に基づいて、それぞれの状況における伝搬路に最適な符号化率を判定する。
【００４１】
チャネル制御部７は、各変調処理部Ａ１〜Ａｎの伝搬路推定部１８から入力された各サブキャリアの伝搬路情報に基づいて、次の送信タイミングにおける各サブキャリアの最適な符号化率を決定し、また、受信信号に含まれる変調方式情報シンボル（相手局符号化率情報）を解析することにより、今回の受信タイミングにおける受信データの符号化率を決定し、これらの符号化率を使用するように切り替えるための制御信号（符号化率切替信号）を符号化率指示部１９へ出力する。
ここで、送信に使用する符号化率については、通常、伝搬路の状況が良好であるほど大きい符号化率を設定し、また、受信に使用する符号化率については、受信信号の送信元（通信相手の装置）で使用された符号化率と同一の符号化率を設定する。
符号化率指示部１９は、チャネル制御部７から入力された符号化率切替信号に従って、送信に使用するために決定された符号化率を指示する信号（相手局符号化率指示信号）を適応符号化部１１とフレーム生成部１２へ出力し、また、受信に使用するために決定された符号化率を指示する信号（自局符号化率指示信号）を適応復号部１７へ出力する。
【００４２】
このように、本例の送受信装置では、通信相手となる装置（例えば、本例と同様な機能を有する送受信装置）との間でマルチキャリア通信を行うに際して、サブキャリア毎に、通信相手となる装置から受信した信号から推定される伝搬路の状況に基づいて送信時の符号化に使用する符号化率を切り替えるとともに符号化に使用した符号化率を通信相手となる装置へ通知し、また、サブキャリア毎に、通信相手となる装置から通知された符号化率を使用するように、通信相手となる装置から受信した信号を復号するための受信時の符号化率を切り替える。
【００４３】
ここで、図３には、本例のような送受信装置を用いた場合における、６４ＱＡＭにより通信を行うマルチキャリア通信システムの周波数帯域の一例を示してある。横軸は複数であるｎ個のサブキャリアの周波数ｆ１、ｆ２、・・・、ｆｎを示しており、縦軸は伝搬路状況を示している。
本例では、伝搬路状況が数値で表され、この数値が大きいほど伝搬路状況が良好であることを示す。また、この数値に関して、大きい方から順に、閾値ｔｈ０、閾値ｔｈ１、閾値ｔｈ２、閾値ｔｈ３がチャネル制御部７のメモリなどに記憶されている。そして、チャネル制御部７では、伝搬路状況を表す数値が、閾値ｔｈ０を超える場合には符号化率Ｒ＝１を設定し、閾値ｔｈ１を超えるが閾値ｔｈ０以下である場合には符号化率Ｒ＝７／８を設定し、閾値ｔｈ２を超えるが閾値ｔｈ１以下である場合には符号化率Ｒ＝３／４を設定し、閾値ｔｈ３を超えるが閾値ｔｈ２以下である場合には符号化率Ｒ＝１／２を設定して、送信時の符号化を行うように制御する。
【００４４】
以上のように、本例の送受信装置では、システムに与えられた周波数帯域を帯域の狭い複数の周波数帯域（サブチャネル）に分割し、各周波数帯域（各サブチャネル）毎にキャリア（サブキャリア）を割り当て、これら複数のキャリア（サブキャリア）に伝送データと誤り訂正用冗長データから構成された送受信データを割り当てて通信を行うマルチキャリア通信システムにおいて、相手局から送信された自局の受信信号に基づいて自局へ向けての各送信サブキャリアの伝搬路状況を推定し、当該推定した伝搬路状況に応じて各サブキャリア毎に最適な誤り訂正符号化率を決定し、当該決定した符号化率で符号化した伝送データを相手局に対して送信するとともに、当該決定した符号化率を相手局へ通知することにより、伝送サブチャネルの誤り訂正符号化率を適切に切り替える。
【００４５】
一構成例として、本例の送受信装置では、送信データを各サブキャリア毎の符号化率に対応した伝送データ量に応じて分割する機能（データ分割部１）と、各サブキャリア毎の符号化率に対応した情報シンボルを生成して伝搬路推定のための信号（プリアンブル）と相手局符号化率情報を付加して送信フレームを生成する機能（適応符号化部１１、フレーム生成部１２）と、サブキャリアの周波数で低周波のベースバンド信号へ変換する機能（直交変調部１３）と、各サブキャリア毎の信号を合成する機能（信号合成部２）を備えた。また、一構成例として、本例の送受信装置では、送信元で合成された信号を受信側（自局）で分割する機能（信号分割部５）と、低周波のベースバンド信号から受信フレームを生成する機能（直交検波部１４、同期処理部１５）と、受信信号に含まれる伝搬路推定のための信号（プリアンブル）と既知の信号パターンから伝搬路で受けた信号歪を補償及び推定する機能（歪補償・推定部１６）と、伝搬路推定信号と受信信号とから各サブキャリア毎の伝搬路状況を推定する機能（伝搬路推定部１８）と、当該推定された結果から各サブキャリア毎に最適な符号化率を決定する機能（チャネル制御部７）と、当該決定の内容に従って送受の符号化率を切り替えるように指示する機能（符号化率指示部１９）と、各サブキャリア毎の受信データを符号化率に応じて復号して復号データを合成する機能（適応復号部１７、データ合成部６）を備えた。
【００４６】
従って、本例の送受信装置では、マルチキャリア通信システムにおいてデジタル情報を無線伝送するに際して、各サブキャリア毎の伝搬路状況の推定結果に基づいて、各サブキャリア毎に適応的に符号化率を決定することにより、高効率及び高品質でデータ伝送を行うことができる。
【００４７】
なお、本例では、一方の装置と他方の装置との間でマルチキャリアの信号を通信する通信システムにおける当該一方の装置及び当該他方の装置をまとめて図１に示される送受信装置として説明した。
本例の送受信装置では、前記一方の装置の機能として、アンテナ４やＲＦ部３や信号分割部５や各変調処理部Ａ１〜Ａｎの直交検波部１４及び同期処理部１５により信号を受信する機能により第１の受信手段が構成されており、各変調処理部Ａ１〜Ａｎの歪補償・推定部１６や伝搬路推定部１８により各キャリア毎に伝搬路の状況を検出する機能により状況検出手段が構成されており、チャネル制御部７により各キャリア毎に符号化率を決定する機能により決定手段が構成されており、チャネル制御部７や各変調処理部Ａ１〜Ａｎの符号化率指示部１９及び適応符号化部１１により決定された符号化率を使用してデータを符号化する機能により符号化手段が構成されており、各変調処理部Ａ１〜Ａｎのフレーム生成部１２及び直交変調部１３や信号合成部２やＲＦ部３やアンテナ４により信号を送信する機能により第１の送信手段が構成されている。
【００４８】
また、本例の送受信装置では、前記他方の装置の機能として、各変調処理部Ａ１〜Ａｎのフレーム生成部１２及び直交変調部１３や信号合成部２やＲＦ部３やアンテナ４により信号を送信する機能により第２の送信手段が構成されており、アンテナ４やＲＦ部３や信号分割部５や各変調処理部Ａ１〜Ａｎの直交検波部１４及び同期処理部１５により信号を受信する機能により第２の受信手段が構成されており、例えばチャネル制御部７により受信信号に基づいて各キャリア毎の符号化率を検出する機能により符号化率検出手段が構成されており、チャネル制御部７や各変調処理部Ａ１〜Ａｎの符号化率指示部１９及び適応復号部１７により各キャリア毎に符号化されたデータを復号する機能により復号手段が構成されている。
【実施例２】
【００４９】
本発明の第２実施例を説明する。
図５には、本発明の一実施例に係るシングルキャリア通信システムの送受信装置の構成例を示してある。本例では、１個のキャリアを使用してシングルキャリア通信を行う。
本例の送受信装置は、データ分割部２１と、変調処理部２２と、信号合成部２３と、ＲＦ部２４と、アンテナ２５と、信号分割部２６と、チャネル制御部２７を備えている。
変調処理部２２は、適応符号化部３１と、フレーム生成部３２と、直交変調部３３と、直交検波部３４と、同期処理部３５と、歪補償・推定部３６と、適応復号部３７と、伝搬路推定部３８と、符号化率指示部３９を備えている。
なお、本例の送受信装置により通信されるシングルキャリアの伝送フレームの構成は、例えば、図２に示されるものと同様である。
【００５０】
本例の送受信装置により行われる動作の一例を示す。
本例では、６４ＱＡＭの変調方式を使用する。
また、本例では、誤り訂正符号化率Ｒとして、Ｒ＝１／２、Ｒ＝３／４、Ｒ＝７／８、Ｒ＝１のいずれかを使用するように切り替えることが可能である。なお、本例では、予め用意された複数の異なる符号化率の中から最適な符号化率Ｒを選択的に決定する構成を示すが、他の構成例として、符号化率Ｒとして任意の値を決定するような構成が用いられてもよい。
【００５１】
まず、送信側の動作について説明する。
データ分割部２１は、送信対象となる伝送データ（送信データ）について、シングルキャリアで使用する符号化率の符号化を行うために必要なデータ量を適宜分割して、分割データを変調処理部２２の適応符号化部３１へ出力する。
ここで、シングルキャリアで使用する符号化率は、一つ前の受信タイミングの受信信号から伝搬路推定部３８により推定されたチャネルの伝搬路状況に基づいてチャネル制御部２７により決定される。そして、シングルキャリアで使用する符号化率を特定する情報が、チャネル制御部２７からデータ分割部２１へ通知される。
【００５２】
変調処理部２２により行われる動作を説明する。
適応符号化部３１とフレーム生成部３２に、チャネル制御部２７により決定されたシングルキャリアで使用する符号化率を指示する信号（相手局符号化率指示信号）が、符号化率指示部３９から入力される。
適応符号化部３１は、データ分割部２１から入力されたデータを符号化率指示部３９から指示された符号化率で符号化（誤り訂正符号化）することで、チャネル制御部２７で決定された符号化率に応じた送信データの符号化処理を行い、符号化後のデータをフレーム生成部３２へ出力する。
【００５３】
フレーム生成部３２は、適応符号化部３１から入力されたデータ（符号化されたビットストリーム）について６４ＱＡＭのシンボル化を行い、このシンボル（伝送シンボル及び冗長シンボル）に対してプリアンブル及び相手局符号化率情報を付加して伝送フレーム（送信フレーム）を生成して直交変調部３３へ出力する。
ここで、相手局符号化率情報としては、符号化率指示部３９により指示された符号化率を特定する情報が用いられる。また、本例では、相手局符号化率情報を、相手局が受信した際に参照するための変調方式情報のシンボルとして用いているが、このような変調方式情報には変調方式に関する他の情報が含まれてもよい。
【００５４】
直交変調部３３は、フレーム生成部３２から入力された伝送フレームをシングルキャリアの周波数で直交変調し、当該直交変調の結果を信号合成部２３へ出力する。
信号合成部２３は、変調処理部２２の直交変調部３３から入力された信号（直交変調出力）を合成し、当該合成の結果をＲＦ部２４へ出力する。
ＲＦ部２４は、信号合成部２３から入力された合成信号を低周波の信号からより高周波のＲＦ信号へ変換してアンテナ２５へ出力する。
アンテナ２５は、ＲＦ部２４から入力された信号を無線により無線伝送路（無線伝搬路）へ送出する。この無線信号は、無線伝搬路を介して、通信相手となる装置により無線受信される。
【００５５】
次に、受信側の動作について説明する。
通信相手となる装置から無線により送信された信号が、無線伝搬路を介して、アンテナ２５により受信される。この受信信号も、シングルキャリアの信号である。
アンテナ２５は、無線受信した信号をＲＦ部２４へ出力する。
ＲＦ部２４は、アンテナ２５から入力された信号を高周波のＲＦ信号からより低周波の信号へ変換して信号分割部２６へ出力する。
信号分割部２６は、ＲＦ部２４から入力された信号を分割して、分割信号を変調処理部２２の直交検波部３４及び伝搬路推定部３８へ出力する。
【００５６】
変調処理部２２により行われる動作を説明する。
直交検波部３４は、信号分割部２６から入力された信号について、直交検波することにより、シングルキャリアの周波数成分を除去して、ベースバンドのＩ信号（同相信号）及びＱ信号（直交信号）へ変換して同期処理部３５へ出力する。
同期処理部３５は、直交検波部３４から入力されたＩ信号及びＱ信号からなる伝送フレームに含まれるプリアンブルに基づいて同期を取り、同期を取った受信フレームを生成して歪補償・推定部３６へ出力する。
【００５７】
歪補償・推定部３６は、予め既知となっているプリアンブルのパターンをメモリなどに記憶しており、同期処理部３５から入力された受信フレームに含まれるプリアンブル（受信プリアンブル）と既知のプリアンブルのパターンに基づいて、受信信号が伝搬路で受けた伝搬路歪を検出して当該検出結果を表す伝搬路推定信号を伝搬路推定部３８へ出力するとともに、当該検出結果に基づいて受信フレームに含まれる伝送シンボル及び冗長シンボルについて伝搬路歪を補償して適応復号部３７へ出力する。
ここで、伝搬路の歪は、例えば、受信プリアンブルと既知のプリアンブルのパターンとの一致度或いは相違度から判定することができ、通常、一致度が高いほど伝搬路の歪が小さいと言え、相違度が高いほど伝搬路の歪が大きいと言える。
【００５８】
適応復号部３７に、チャネル制御部２７により決定されたシングルキャリアで使用する符号化率を指示する信号（自局符号化率指示信号）が、符号化率指示部３９から入力される。
適応復号部３７は、歪補償・推定部３６から入力されたシンボル（伝送シンボル及び冗長シンボル）のデータ（符号化されたビットストリーム）を、符号化率指示部３９から指示された符号化率で復号（誤り訂正復号）することで、チャネル制御部２７で決定された符号化率に応じた受信データの復号処理を行い、復号後のデータを復調データとして出力する。
なお、本例では、歪補償・推定部３６或いは適応復号部３７において、６４ＱＡＭに対応して、受信されたシンボルがデータ（符号化されたビットストリーム）へ戻される。
【００５９】
伝搬路推定部３８は、信号分割部２６から受信信号を入力するとともに、歪補償・推定部３６から伝搬路推定信号を入力し、これらの受信信号と伝搬路推定信号に基づいて、チャネルの伝搬路の状況を推定し、当該推定結果を表す伝搬路情報をチャネル制御部２７へ出力する。また、伝搬路推定部３８は、受信信号をチャネル制御部２７へ出力する。
ここで、伝搬路の状況を推定する方法としては、例えば、伝搬路の状況の良し悪しの程度を推定することができる種々な方法が用いられてもよく、具体的には、受信レベルを検出する方法や、波形等化器の出力結果であるマルチパス歪の程度或いはベースバンドアイパターンの開口度を調べる方法や、送受既知のパターンデータを用いて相関演算により受信Ｓ／Ｎ情報や遅延スプレッド情報などを検出することにより伝搬路歪を推定する方法などを用いることができる。本例では、伝搬路状況の推定結果に基づいて、それぞれの状況における伝搬路に最適な符号化率を判定する。
【００６０】
チャネル制御部２７は、変調処理部２２の伝搬路推定部３８から入力されたシングルキャリアの伝搬路情報に基づいて、次の送信タイミングにおけるチャネルの最適な符号化率を決定し、また、受信信号に含まれる変調方式情報シンボル（相手局符号化率情報）を解析することにより、今回の受信タイミングにおける受信データの符号化率を決定し、これらの符号化率を使用するように切り替えるための制御信号（符号化率切替信号）を符号化率指示部３９へ出力する。
ここで、送信に使用する符号化率については、通常、伝搬路の状況が良好であるほど大きい符号化率を設定し、また、受信に使用する符号化率については、受信信号の送信元（通信相手の装置）で使用された符号化率と同一の符号化率を設定する。
符号化率指示部３９は、チャネル制御部２７から入力された符号化率切替信号に従って、送信に使用するために決定された符号化率を指示する信号（相手局符号化率指示信号）を適応符号化部３１とフレーム生成部３２へ出力し、また、受信に使用するために決定された符号化率を指示する信号（自局符号化率指示信号）を適応復号部３７へ出力する。
【００６１】
このように、本例の送受信装置では、通信相手となる装置（例えば、本例と同様な機能を有する送受信装置）との間でシングルキャリア通信を行うに際して、通信相手となる装置から受信した信号から推定される伝搬路の状況に基づいて送信時の符号化に使用する符号化率を切り替えるとともに符号化に使用した符号化率を通信相手となる装置へ通知し、また、通信相手となる装置から通知された符号化率を使用するように、通信相手となる装置から受信した信号を復号するための受信時の符号化率を切り替える。
【００６２】
ここで、図６には、本例のような送受信装置を用いた場合における、６４ＱＡＭにより通信を行うシングルキャリア通信システムの周波数帯域の一例を示してある。横軸はシングルキャリアの周波数を示しており、縦軸は伝搬路状況を示している。
本例では、伝搬路状況が数値で表され、この数値が大きいほど伝搬路状況が良好であることを示す。また、この数値に関して、大きい方から順に、閾値ｔｈ１、閾値ｔｈ２、閾値ｔｈ３がチャネル制御部２７のメモリなどに記憶されている。そして、チャネル制御部２７では、伝搬路状況を表す数値が、閾値ｔｈ１を超える場合には符号化率Ｒ＝１を設定し、閾値ｔｈ２を超えるが閾値ｔｈ１以下である場合には符号化率Ｒ＝７／８を設定し、閾値ｔｈ３を超えるが閾値ｔｈ２以下である場合には符号化率Ｒ＝３／４を設定し、閾値ｔｈ３以下である場合には符号化率Ｒ＝１／２を設定して、送信時の符号化を行うように制御する。
【００６３】
以上のように、本例の送受信装置では、システムに与えられた周波数帯域（チャネル）に割り当てられた単一のキャリア（シングルキャリア）に伝送データと誤り訂正用冗長データから構成された送受信データを割り当てて通信を行うシングルキャリア通信システムにおいて、相手局から送信された自局の受信信号に基づいて自局へ向けての送信チャネルの伝搬路状況を推定し、当該推定した伝搬路状況に応じて当該チャネルに最適な誤り訂正符号化率を決定し、当該決定した符号化率で符号化した伝送データを相手局に対して送信するとともに、当該決定した符号化率を相手局へ通知することにより、伝送チャネルの誤り訂正符号化率を適切に切り替える。
【００６４】
一構成例として、本例の送受信装置では、送信データを伝送チャネルの符号化率に対応した伝送データ量に応じて分割する機能（データ分割部２１）と、伝送チャネルの符号化率に対応した情報シンボルを生成して伝搬路推定のための信号（プリアンブル）と相手局符号化率情報を付加して送信フレームを生成する機能（適応符号化部３１、フレーム生成部３２）と、伝送チャネルの周波数で低周波のベースバンド信号へ変換する機能（直交変調部３３）を備えた。また、一構成例として、本例の送受信装置では、低周波のベースバンド信号から受信フレームを生成する機能（直交検波部３４、同期処理部３５）と、受信信号に含まれる伝搬路推定のための信号（プリアンブル）と既知の信号パターンから伝搬路で受けた信号歪を補償及び推定する機能（歪補償・推定部３６）と、伝搬路推定信号と受信信号とから伝送チャネルの伝搬路状況を推定する機能（伝搬路推定部３８）と、当該推定された結果から伝送チャネルに最適な符号化率を決定する機能（チャネル制御部２７）と、当該決定の内容に従って送受の符号化率を切り替えるように指示する機能（符号化率指示部３９）と、伝送チャネルの受信データを符号化率に応じて復号する機能（適応復号部３７）を備えた。
【００６５】
従って、本例の送受信装置では、シングルキャリア通信システムにおいてデジタル情報を無線伝送するに際して、送信キャリアの伝搬路状況の推定結果に基づいて、適応的に符号化率を決定することにより、高効率及び高品質でデータ伝送を行うことができる。また、シングルキャリア通信システムは、例えばマルチキャリア通信システムと比較して、より簡素なハードウエア構成で実現することができる。
【００６６】
なお、本例では、一方の装置と他方の装置との間でシングルキャリアの信号を通信する通信システムにおける当該一方の装置及び当該他方の装置をまとめて図５に示される送受信装置として説明した。
本例の送受信装置では、前記一方の装置の機能として、アンテナ２５やＲＦ部２４や信号分割部２６や変調処理部２２の直交検波部３４及び同期処理部３５により信号を受信する機能により第１の受信手段が構成されており、変調処理部２２の歪補償・推定部３６や伝搬路推定部３８によりキャリアの伝搬路の状況を検出する機能により状況検出手段が構成されており、チャネル制御部２７によりキャリアの符号化率を決定する機能により決定手段が構成されており、チャネル制御部２７や変調処理部２２の符号化率指示部３９及び適応符号化部３１により決定された符号化率を使用してデータを符号化する機能により符号化手段が構成されており、変調処理部２２のフレーム生成部３２及び直交変調部３３や信号合成部２３やＲＦ部２４やアンテナ２５により信号を送信する機能により第１の送信手段が構成されている。
【００６７】
また、本例の送受信装置では、前記他方の装置の機能として、変調処理部２２のフレーム生成部３２及び直交変調部３３や信号合成部２３やＲＦ部２４やアンテナ２５により信号を送信する機能により第２の送信手段が構成されており、アンテナ２５やＲＦ部２４や信号分割部２６や変調処理部２２の直交検波部３４及び同期処理部３５により信号を受信する機能により第２の受信手段が構成されており、例えばチャネル制御部２７により受信信号に基づいてキャリアの符号化率を検出する機能により符号化率検出手段が構成されており、チャネル制御部２７や変調処理部２２の符号化率指示部３９及び適応復号部３７によりキャリアの符号化されたデータを復号する機能により復号手段が構成されている。
【００６８】
ここで、本発明に係るシステムや装置などの構成としては、必ずしも以上に示したものに限られず、種々な構成が用いられてもよい。また、本発明は、例えば、本発明に係る処理を実行する方法或いは方式や、このような方法や方式を実現するためのプログラムや当該プログラムを記録する記録媒体などとして提供することも可能であり、また、種々な装置やシステムとして提供することも可能である。
また、本発明の適用分野としては、必ずしも以上に示したものに限られず、本発明は、種々な分野に適用することが可能なものである。
また、本発明に係るシステムや装置などにおいて行われる各種の処理としては、例えばプロセッサやメモリ等を備えたハードウエア資源においてプロセッサがＲＯＭ（Ｒｅａｄ  Ｏｎｌｙ  Ｍｅｍｏｒｙ）に格納された制御プログラムを実行することにより制御される構成が用いられてもよく、また、例えば当該処理を実行するための各機能手段が独立したハードウエア回路として構成されてもよい。
また、本発明は上記の制御プログラムを格納したフロッピー（登録商標）ディスクやＣＤ（Ｃｏｍｐａｃｔ  Ｄｉｓｃ）−ＲＯＭ等のコンピュータにより読み取り可能な記録媒体や当該プログラム（自体）として把握することもでき、当該制御プログラムを当該記録媒体からコンピュータに入力してプロセッサに実行させることにより、本発明に係る処理を遂行させることができる。
【図面の簡単な説明】
【００６９】
【図１】本発明の一実施例に係る送受信装置の構成例を示す図である。
【図２】伝送フレームの構成例を示す図である。
【図３】本発明の一実施例に係るマルチキャリア通信システムの周波数帯域の一例を示す図である。
【図４】マルチキャリア通信システムの周波数帯域の一例を示す図である。
【図５】本発明の一実施例に係る送受信装置の構成例を示す図である。
【図６】本発明の一実施例に係るシングルキャリア通信システムの周波数帯域の一例を示す図である。
【図７】シングルキャリア通信システムの周波数帯域の一例を示す図である。
【符号の説明】
【００７０】
Ａ１〜Ａｎ、２２・・変調処理部、  １、２１・・データ分割部、  ２、２３・・信号合成部、  ３、２４・・ＲＦ部、  ４、２５・・アンテナ、  ５、２６・・信号分割部、  ６・・データ合成部、  ７、２７・・チャネル制御部、  １１、３１・・適応符号化部、  １２、３２・・フレーム生成部、  １３、３３・・直交変調部、  １４、３４・・直交検波部、  １５、３５・・同期処理部、  １６、３６・・歪補償・推定部、  １７、３７・・適応復号部、  １８、３８・・伝送路推定部、  １９、３９・・符号化率指示部、
【図１】
2007181180.tif 000003
【図２】
2007181180.tif 000004
【図３】
2007181180.tif 000005
【図４】
2007181180.tif 000006
【図５】
2007181180.tif 000007
【図６】
2007181180.tif 000008
【図７】
2007181180.tif 000009